(57)【要約】【課題】車載カメラへの電源供給開始から映像信号出力までに要する時間の短縮をはかる。【解決手段】車載カメラシステム１０は、車載カメラ（リアカメラ１３）と、車載カメラに電源供給を行う電源回路部１０２と、車両のシフトポジションが、ドライブからニュートラルに切り替わったことを検出したとき、または、直前のシフトポジションにかかわらずパーキングに切り替わったことを検出したときに、電源回路部を制御して電源供給を開始する制御部１００と、を備える。制御部は、ドライブとニュートラルとの中間点を検出したとき、または、パーキングとリバースとの中間点を検出したときに電源供給を開始してもよい。【選択図】図１
2016164010.tif 000002
【特許請求の範囲】
【請求項１】
車載カメラと、
前記車載カメラに電源供給を行う電源回路部と、
前記車載カメラへの電源供給の開始及び停止の制御を前記電源回路部に対して行う制御部とを備え、
前記制御部が前記車載カメラが搭載された車両のシフトレバーのシフトポジションが、ドライブからニュートラルに切り替わったことを検出したとき、または、直前のシフトポジションにかかわらずパーキングに切り替わったことを検出したとき、前記制御部は前記電源回路部から前記車載カメラへの前記電源供給を開始することを特徴とする車載カメラシステム。
【請求項２】
車載カメラと、
前記車載カメラへ電源供給を行う電源回路部と、
前記電源回路部に前記車載カメラへの電源供給を開始及び停止させる制御を行う制御部とを備え、
車両のシフトポジションが、ドライブとニュートラルとの中間点を検出したとき、または、パーキングとリバースとの中間点を検出したとき、前記制御部は前記電源回路部から前記車載カメラへの前記電源供給を開始することを特徴とする車載カメラシステム。
【請求項３】
前記制御部は、
前記車両のシフトポジションが、前記パーキングまたは前記ニュートラルから前記リバースに一定時間切り替えが無いことを検出したときに、前記電源供給を停止させることを特徴とする請求項１または２記載の車載カメラシステム。
【発明の詳細な説明】
【技術分野】
【０００１】
本発明は、車載カメラシステムに関する。
【背景技術】
【０００２】
車両に搭載されるリアカメラは、オートマチックトランスミッションのシフトレバーのシフトポジションが、「リバースポジション（後退）」に切り替わったことが検知されることで電源供給が開始され、車両後方の撮像を開始することができる。通常、電源供給開始から車両後方の映像が出力（表示）されるまでに要する時間は０．５秒程度であり、この起動時間の短縮が望まれている。
【０００３】
例えば、特許文献１に、エンジン始動と同時に、バックカメラ（リアカメラ）に電源を投入し、車両が一定速度で一定距離を走行したときに電源を切断することで、シフトレバーがリバースポジション切り替えられる前にバックカメラの電源を投入される様にし、画像が出力されるまでの時間短縮をはかる技術が記載されている。
【先行技術文献】
【特許文献】
【０００４】
【特許文献１】特開２０１１−１４３２５号公報
【発明の概要】
【発明が解決しようとする課題】
【０００５】
特許文献１に開示された技術によれば、エンジン始動時以外の、例えば、通常走行からバック走行に切り替わるときに、リアカメラはシフトレバーがリバースポジションに切り替えられたことと連動して電源供給されるため起動時間の短縮ができない。通常バック走行を行うとき、通常走行からバック走行に切り替わるシーンが多いと考えられるため、依然として問題は解決されていない。
【０００６】
本発明は上記した課題を解決するためになされたものであり、車載カメラへの電源供給開始から映像信号出力までに要する時間の短縮をはかった車載カメラシステムを提供することを目的とする。
【課題を解決するための手段】
【０００７】
上記した課題を解決するために本発明の車載カメラシステムは、車載カメラと、
前記車載カメラに電源供給を行う電源回路部と、
前記車載カメラへの電源供給の開始及び停止の制御を前記電源回路部に対して行う制御部とを備え、前記制御部が前記車載カメラが搭載された車両のシフトレバーのシフトポジションが、ドライブからニュートラルに切り替わったことを検出したとき、または、直前のシフトポジションにかかわらずパーキングに切り替わったことを検出したとき、前記制御部は前記電源回路部から前記車載カメラへの電源供給を開始することを特徴とする。
【０００８】
また、本発明の車載カメラシステムは、車載カメラと、前記車載カメラへ電源供給を行う電源回路部と、前記電源回路部に前記車載カメラへの電源供給を開始及び停止させる制御を行う制御部とを備え、車両のシフトポジションが、ドライブとニュートラルとの中間点を検出したとき、または、パーキングとリバースとの中間点を検出したとき、前記制御部は前記電源回路部から前記車載カメラへの前記電源供給を開始することを特徴とする。  
【０００９】
本発明において、前記制御部は、前記車両のシフトポジションが、前記パーキングまたは前記ニュートラルから前記リバースに一定時間切り替えが無いことを検出したときに、前記電源供給を停止させることを特徴とする。
【００１０】
本発明において、前記制御部は、コントロールエリアネットワーク（以下ＣＡＮ（Ｃｏｎｔｒｏｌ  Ａｒｅａ  Ｎｅｔｗｏｒｋ）とも言う）経由で取得されるトランスミッション系の信号から前記シフトポジションの切り替えを検出することを特徴とする。
【発明の効果】
【００１１】
本発明によれば、車載カメラへの電源供給開始から映像信号出力までに要する時間の短縮をはかった車載カメラシステムを提供することができる。
【図面の簡単な説明】
【００１２】
【図１】本発明の実施の形態に係る車載カメラシステムが搭載される車両の電装系の接続構成を示す図である。
【図２】図１の車載カメラシステムの構成を示すブロック図である。
【図３】実施例１の動作を従来例と対比して示したタイミング図である。
【図４】実施例２の動作を示したタイミング図である。
【発明を実施するための形態】
【００１３】
以下、添付図面を参照して、本発明を実施するための形態（以下、本実施形態と言う）について詳細に説明する。なお、実施形態の説明の全体を通して同じ要素には同じ番号又は符号を付している。
【００１４】
（実施形態の構成）
図１は、本実施形態に係る車載カメラシステム１０が搭載される車両の電装系の接続構成が示されている。図１に示すように、車両には、複数の電子制御ユニット（ＥＣＵ）が搭載されており、これらＥＣＵは、ＣＡＮによる車載ＬＡＮを介して接続され、ＥＣＵ間で双方向にデータ通信を行う協調制御を実現している。なお、ＣＡＮとは、車載機器間の通信技術として開発され、ＩＳＯ（国際標準化機構）により規格化されたバス型のネットワーク通信規格（ＩＳＯ１１８９８またはＩＳＯ１１５１９）である。
【００１５】
車両には、ＥＣＵとして、例えば、エンジン系の制御を行うエンジンＥＣＵ、トランスミッション系の制御を行うトランスミッション系ＥＣＵ、ブレーキ操作に応じた制御およびアンチロックブレーキ等の制動力制御を行う制動系ＥＣＵ、空調の他、ナビゲーション装置、車載カメラ等、車載機器の制御を行う電装系のＥＣＵ等が搭載されている。ここでは、ＥＣＵとして、車載カメラシステム１０，トランスミッション系ＥＣＵ１１のみが例示されており、他は、総称してその他ＥＣＵ１２として示してある。ＥＣＵ１０，１１，１２は、ＣＡＮバス１４に接続され、車載カメラシステム１０には更に車載カメラとしてリアカメラ１３が接続されている。このリアカメラ１３はここでは、車両後方の映像を撮影して車載カメラシステム１０に映像信号を出力するものである。
【００１６】
上記構成において、車載カメラシステム１０は、トランスミッション系ＥＣＵ１１において、シフトレバーのシフトポジションが、「ドライブ」から「ニュートラル」に切り替わったことを検出したとき、または、直前のシフトポジションにかかわらず「パーキング」に切り替わったことを検出したときに、リアカメラ１３に電源供給を開始する制御を行う。また、シフトポジションが「ドライブ」から「ニュートラル」に切り替わる中間点（例えば、「ドライブ」と「ニュートラル」の間にシフトポジションが位置している）を検出したとき、または、「パーキング」から「リバース」に切り替わる中間点を検出したときにリアカメラ１３に電源供給を開始してもよい。
【００１７】
また、車載カメラシステム１０は、シフトポジションが、「パーキング」または「ニュートラル」から「リバース」に一定時間切り替えが無いことを検出したときに、電源供給を切断する制御を行う。これらの制御は、車載カメラシステム１０が、ＣＡＮ１４経由で取得されるトランスミッション系（トランスミッションＥＣＵ１１）の信号からシフトポジションの切り替えを検出し、リアカメラ１３に対して電源ＯＮ／ＯＦＦ信号が供給することにより実行される。尚、シフトレバーのシフトポジションである「パーキング」は車両を駐車するときに車の移動をさせないポジションであり、「ドライブ」は車両を前進させるポジションであり、「ニュートラル」はエンジンの駆動力の車輪への伝達を切り離すポジションであり、「リバース」は車両を後退させるポジションである。これら各ポジションが車の前方から順に「パーキング」、「ドライブ」、「ニュートラル」、「リバース」の順に並んでおり、シフトレバーはこの間を遷移する。このシフトレバーとシフトポジションとの関係は、車速やエンジンの回転数に応じて変速比を自動的に切り替えるオートマチックトランスミッション（自動変速機）の場合である。
【００１８】
図２に、本実施形態に係る車載カメラシステム１０の内部構成が示されている。図２によれば、本実施形態に係る車載カメラシステム１０は、制御部１００と、ＣＡＮバスＤ／Ｒ（ドライバ／レシーバ）１０１と、電源回路部１０２とを含み構成される。
【００１９】
ＣＡＮバスＤ／Ｒ１０１は、ＣＡＮバス１４と車載カメラシステム１０の制御部１００との間のインタフェースであり、両者でデータ通信を行う際に使用されるアドレス、データ等の各信号の増幅を行うドライバ／レシーバである。電源回路部１０２は、制御部１００により制御され、リアカメラ１３が動作に必要とする電源容量を持つ電源と、電源のリアカメラ１３への供給、停止を行うスイッチとを含む。なお、電源回路部１０２は、図示省略したナビゲーション装置が持つ電源と共用してもよい。
【００２０】
制御部１００は、ＣＡＮバス１４，ＣＡＮバスＤ／Ｒ１０１を介してトランスミッション系ＥＣＵ１１から出力されるシフトレバーがどのシフトポジションにあるかを示すシフトポジション信号が、「ドライブ」から「ニュートラル」に切り替わったことを検出したとき、または、直前のシフトポジションにかかわらず「パーキング」に切り替わったことを検出したときに電源回路部１０２に対し、リアカメラ１３に電源供給を開始する制御を行う。また、シフトレバーのシフトポジションが「ドライブ」から「ニュートラル」に切り替わる中間点を検出したとき、または、「パーキング」から「リバース」に切り替わる中間点を検出したときにリアカメラ１３に電源供給を開始してもよい。
【００２１】
また、制御部１００は、シフトポジションが、「パーキング」または「ニュートラル」から「リバース」に一定時間切り替えが無いことを検出したときに、電源回路部１０２に対し、リアカメラ１３の電源供給を切断する制御を行う。なお、制御部１００には、リアカメラ１３から車両後方の撮影画像（映像信号）が供給され、その撮影画像は、制御部１００に接続される表示部１０３に表示される。ここでは、表示部１０３は、図示を省略したナビゲーション装置が持つ、例えば、ＬＣＤ（Ｌｉｑｕｉｄ  Ｃｒｙｓｔａｌ  Ｄｓｐｌａｙ）モニタを使用するものとし、ＣＡＮバス１４経由で取得される前述のシフトポジション信号により、モニタ画面（ナビゲーション映像）とカメラ画面（撮影画像）とが切り替え表示されるものとする。
【００２２】
（実施形態の動作）
図３は、本実施形態に係る車載カメラシステム１０の動作を従来例と対比して示した動作タイミング図である。
【００２３】
図３において、横軸は、時間を示し、縦軸は、上から順に、（ａ）車両のシフトポジション、（ｂ）リバース連動時のカメラ電源ＯＮ／ＯＦＦ（従来）、（ｃ）カメラ／映像出力（従来）、（ｄ）カメラ電源ＯＮ／ＯＦＦ（本実施形態）、（ｅ）カメラ／映像出力（本実施形態）、（ｆ）モニタ表示切り替えタイミング（従来例・本実施形態）のそれぞれを示す。
【００２４】
以下、車両のシフトポジションが、「ドライブ（Ｄ）」から「ニュートラル（Ｎ）」に切り替わったとき、またはその中間点を検出したときにリアカメラ１３の電源供給を開始するケースを実施例１とし、「パーキング（Ｐ）」から「リバース（Ｒ）」に切り替わる中間点を検出したときにリアカメラ１３の電源供給を開始するケースを実施例２として詳細説明を行う。
【００２５】
＜実施例１＞
以下、図３のタイミング図を参照しながら、実施例１の車載カメラシステム１０の動作を従来例と比較しながら説明する。
【００２６】
図３（ａ）、（ｂ）に示すように、従来は、「ニュートラル（Ｎ）」から「リバース（Ｒ）」へのシフトポジションの切り替えを検出したタイミングでリアカメラ１３のカメラ電源をＯＮしており、その結果、図３（ｃ）に示すように、運転者がシフトポジションを「リバース」に入れてから（リアカメラに電源の供給を開始してから）リアカメラ１３の起動に０．４〜０．５秒を要し、車両後方の撮像画像を映像出力していた。これに対し、本実施形態に係る車載カメラシステム１０は、図３（ａ）（ｄ）に示すように、「ドライブ（Ｄ）」から「ニュートラル（Ｎ）」へシフトポジションの切り替えを検出したタイミング（図中、一点鎖線で示す）で、あるいは、「ドライブ（Ｄ）」から「ニュートラル（Ｎ）」に切り替わる中間点を検出したタイミング（図中、太実線で示す）でカメラ電源をＯＮしている。図３（ｃ）と図３（ｅ）を比較すると、従来の映像出力のタイミング（太点線で示すリバース検出から０．４〜０．５秒後）に対し、本実施例で示す映像出力のタイミング（太実線で示す「ドライブ」と「ニュートラル」の中間点から０．４〜０．５秒後）となっており、映像出力のタイミングが早まっていることが分かる。
【００２７】
このため、本実施形態に係る車載カメラシステム１０は、制御部１００が、ＣＡＮバス１４，ＣＡＮバスＤ／Ｒ１０１を介してミッションＥＣＵ１１から出力されるシフトポジション信号が「ドライブ（Ｄ）」から「ニュートラル（Ｎ）」に切り替わったことを示したとき、または、「ドライブ（Ｄ）」から「ニュートラル（Ｎ）」に切り替わる中間点を示したときに、制御部１００は電源回路部１０２に対し、リアカメラ１３に電源供給を開始する制御を行う。但し、図３（ｆ）に示すように、表示部１０３へのカメラ画像表示への切り替えは、「リバース（Ｒ）」を検出したタイミングとする。これは、運転者は、車両がバック走行時以外のタイミングではナビゲーション画面を必要とする理由による。
【００２８】
なお、制御部１００は、シフトポジションが、「パーキング（Ｐ）」または「ニュートラル（Ｎ）」から「リバース（Ｒ）」に一定時間（例えば１分間）切り替えが無いことを検出したときに、電源回路部１０２を制御してリアカメラ１３への電源供給を切断する。また、シフトポジションが「ドライブ（Ｄ）」に切り替わってから、例えば、１分以上経過後等のように、時間監視を行なうことで、ハンドル切り返し毎にリアカメラ１３の電源ＯＮ／ＯＦＦが繰り返される事を回避することも可能である。
【００２９】
なお、実施例１では、シフトポジションが「ドライブ（Ｄ）」から「ニュートラル（Ｎ）」に切り替わったことを検出したとき、またはその中間点を検出したときにリアカメラ１３の電源供給を開始することとしたが、直前のシフトポジションにかかわらず「パーキング（Ｐ）」に切り替わったことを検出したときに電源供給を開始しても同様の効果が得られる。
【００３０】
上記した実施例１によれば、制御部１００は、車両のシフトポジションが、「ドライブ（Ｄ）」から「ニュートラル（Ｎ）」に切り替わったとき、またはその中間点を検出したとき、もしくは、直前のシフトポジションにかかわらず「パーキング（Ｐ）」に切り替わったときにリアカメラ１３の電源供給を開始することにより、映像出力開始に要する時間が短縮され、車両のシフトポジションがリバースポジション（Ｒ）に切り替わった直後に後方視界の監視が可能になる。
【００３１】
＜実施例２＞
図４に、実施例２の車載カメラシステム１０の動作タイミングを示す。実施例１同様、横軸は、時間を示し、縦軸は、上から順に、（ａ）シフトポジション、（ｂ）カメラ電源ＯＮ／ＯＦＦ、（ｃ）カメラ／映像出力、（ｄ）モニタ切り替えタイミングを示す。以下、図４のタイミング図を参照しながら、実施例２の車載カメラシステム１０の動作について詳細に説明する。
【００３２】
図４（ａ）（ｂ）に示すように、実施例２は、シフトポジションが、「パーキング（Ｐ）」から「リバース（Ｒ）」に切り替わる中間点を検出したタイミング（図中、太実線で示す）でカメラ電源をＯＮする例であり、図４（ｃ）に示すように、０．４〜０．５秒のカメラ起動時間を経て映像信号出力を行っている。なお、図４（ｄ）に示すように、モニタ表示切替えタイミングは、実施例１同様、「リバース（Ｒ）」を検出したタイミングとする。
【００３３】
このため、車載カメラシステム１０の制御部１００は、ＣＡＮバス１４，ＣＡＮバスＤ／Ｒ１０１を介してミッションＥＣＵ１１から出力されるシフトポジション信号が、「パーキング（Ｐ）」から「リバース（Ｒ）」に切り替わる中間点を示したときに、電源回路部１０２を制御してリアカメラ１３に電源供給を開始する制御を行う。但し、図４（ｄ）に示すように、表示部１０３へのカメラ画像表示への切り替えは、「リバース（Ｒ）」を検出したタイミングとする。
【００３４】
なお、実施例１同様、制御部１００は、シフトポジションが、「パーキング（Ｐ）」または「ニュートラル（Ｎ）」から「リバース（Ｒ）」に一定時間（例えば１分間）切り替えが無いことを検出したときに、電源回路部１０２を制御してリアカメラ１３への電源供給を切断する。また、シフトポジションが「ドライブ（Ｄ）」に切り替わってから１分以上経過後等のように、時間監視を行なうことで、ハンドル切り返し毎の電源ＯＦＦを回避することも可能である。
【００３５】
上記した実施例２によれば、制御部１００は、車両のシフトポジションが、「パーキング（Ｐ）」から「リバース（Ｒ）」に切り替わる中間点を検出したときに、リアカメラ１３の電源供給を開始することで映像出力開始が早まり、車両が「リバース（Ｒ）」に切り替わった直後に後方視界の監視が可能になる。図４（ａ）に太点線で示すように、「ニュートラル（Ｎ）」から「リバース（Ｒ）」へシフトポジションの切り替えを検出したタイミングでリアカメラ１３のカメラ電源をＯＮしていた従来例と比較して映像出力のタイミングが早まり、見かけ上の起動時間が速くなる。
【００３６】
（実施形態の効果）
以上説明のように本実施形態に係る車載カメラシステム１０によれば、制御部１００が、車両のシフトポジションにおいて、シフトポジションが「ドライブ（Ｄ）」から「ニュートラル（Ｎ）」に切り替わったことを検出したとき、または、直前のシフトポジションにかかわらず「パーキング（Ｐ）」に切り替わったことを検出したときに制御部１００が電源回路部１０２を制御してリアカメラ１３への電源供給を開始することにより、あるいは、「ドライブ」から「ニュートラル」に切り替わる中間点を検出したとき、または、「パーキング」から「リバース」に切り替わる中間点を検出したときに、電源供給を開始する制御を行うことで、映像信号出力のタイミングが早まり、「リバース」に切り替わった直後に車両後方視界の監視が可能になる。
【００３７】
なお、本実施形態に係る車載カメラシステムによれば、車載カメラとしてリアカメラ１３のみ例示したが、サイドカメラ等、車両周辺に搭載された車載カメラであれば同様の制御が可能になり、周辺の視界監視が可能になる。また、本実施形態に係る車載カメラシステム１０によれば、シフトポジション信号は、ＣＡＮバス１４経由で取得したが、ＣＡＮバス１４を使用することなく、例えば、ミッション系に実装したセンサ等から直接取得して同様の制御を行ってもよい。
【００３８】
以上、実施形態を用いて本発明を説明したが、本発明の技術的範囲は上記実施形態に記載の範囲には限定されないことは言うまでもない。上記実施形態に、多様な変更又は改良を加えることが可能であることが当業者に明らかである。またその様な変更又は改良を加えた形態も本発明の技術的範囲に含まれ得ることが、特許請求の範囲の記載から明らかである。
【符号の説明】
【００３９】
１０…車載カメラシステム、１１…ミッションＥＣＵ、１２…その他ＥＣＵ、１３…リアカメラ（車載カメラ）、１４…ＣＡＮバス、１００…制御部、１０１…ＣＡＮバスＤ／Ｒ、１０２…電源回路部、１０３…表示部
【図１】
2016164010.tif 000003
【図２】
2016164010.tif 000004
【図３】
2016164010.tif 000005
【図４】
2016164010.tif 000006